(57)【要約】      （修正有）【課題】急な動作にでも前部が開口しない自己把持ストリップを備えたウエストバンドのショーツの提供。【解決手段】フライ１８を備えた正面および背面１０，１２を有するショーツ。本ショーツは更に、正面および背面と一体化されたウエストバンド２０を有し、そのウエストバンドは、フライのいずれかの側に置かれた第１の端部と第２の端部２０ａ，２０ｂとの間に延びている。そして、第１の端部２０ａの先には自由端部２３までタブ２２が延びており、そのタブはウエストバンドの第２の端部２０ｂを覆う形に置かれている。タブは自己把持ストリップを有し、当該ストリップは、ウエストバンドの第２の端部２０ｂと一体化された相補型自己把持ストリップ２６に対向している。レース２９は、タブ２２をウエストバンドの第２の端部２０ｂに接続し、ウエストバンドの第２の端部２０ｂに作られた穴３０，３２に通され、ウエストバンドの内側で結ぶことができる。【選択図】図２
2009079340.tif 000002
【特許請求の範囲】
【請求項１】
背面（１４，１６）および正面（１０，１２）であって、正面がフライ（１８）を有する、という背面（１４，１６）および正面（１０，１２）と、
前記正面および背面と一体化されたウエストバンド（２０）であって、本ウエストバンドは第１の端部と第２の端部（２０ａ，２０ｂ）との間に延びており、前記第１および第２の端部はそれぞれフライのいずれかの側に置かれている、というウエストバンド（２０）と、そして、
第１の端部（２０ａ）の先にあって自由端部（２３）まで延びており、ウエストバンドの第２の端部（２０ｂ）を覆う形に置かれたタブ（２２）であって、ウエストバンドの第２の端部（２０ｂ）と一体化された相補型自己把持ストリップ（２６）に対向する位置に置かれた自己把持ストリップを有する、という前記タブ（２２）と、
を有するショーツ（１）であって、
特徴となるのは、
２つの自由端部（２９ａ，２９ｂ）の間に延びるレース（２９）によってタブ（２２）の自由端部（２３）がウエストバンドの第２の端部（２０ｂ）に接続される点、および、レースの２つの自由端部（２９ａ，２９ｂ）の各々がウエストバンドの第２の端部（２０ｂ）に作られた穴（３０，３２）のいずれかに通されており、それによって、ウエストバンドの内側で結ぶことが可能である点である、
という前記ショーツ。
【請求項２】
レース（２９）はさらに、タブ（２２）に作られた穴（２８）にも通されること、
を特徴とする請求項１に記載のショーツ。
【請求項３】
前記穴（２８）はタブの自由端部（２３）に作られていること、
を特徴とする請求項２に記載のショーツ。
【請求項４】
タブの自由端部（２３）には自己把持ストリップがないこと、
を特徴とする請求項３に記載のショーツ。
【請求項５】
レース（２９）は、ウエストバンドの第２の端部（２０ｂ）に留められること、
を特徴とする請求項１乃至４のいずれかに記載のショーツ。
【請求項６】
レース（２９）は、ウエストバンドの第２の端部（２０ｂ）にスティッチで留められること、
を特徴とする請求項５に記載のショーツ。
【請求項７】
前記相補型自己把持ストリップ（２６）は前記２つの穴（３０，３２）とフライとの間に置かれており、前記２つの穴（３０，３２）は、ウエストバンド（２０）のうち自己把持ストリップを有していない部分に作られていること、
を特徴とする請求項１乃至６のいずれかに記載のショーツ。
【請求項８】
フライ（１８）を閉じるための手段（１８ａ，１８ｂ）を更に有すること、
を特徴とする請求項１乃至７のいずれかに記載のショーツ。
【発明の詳細な説明】
【技術分野】
【０００１】
本発明は、自己把持ストリップを備えたウエストバンドを有するショーツに関する。更に具体的には、本発明は、
−  背面および正面であって、正面がフライを有する、という背面および正面と、
−  前記正面および背面と一体化されたウエストバンドであって、本ウエストバンドは第１の端部と第２の端部との間に延びており、前記第１および第２の端部はそれぞれフライのいずれかの側に置かれている、というウエストバンドと、そして、
−  第１の端部の先にあって自由端部まで延びており、ウエストバンドの第２の端部を覆う形に置かれたタブであって、ウエストバンドの第２の端部と一体化された相補型自己把持ストリップに対向する位置に置かれた自己把持ストリップを有する、という前記タブと、を有するショーツ、に関する。
【背景技術】
【０００２】
米国特許：ＵＳ ７ １７４ ５７４号の文書には、こうしたショーツの一例が開示されている。しかし、この種のショーツには、例えばスポーツ活動（特にサーフィンなど）を行おうとする際の急な動作の間に、不都合なタイミングで開いてしまう可能性がある、という問題を有する。
【発明の開示】
【発明が解決しようとする課題】
【０００３】
本発明は特に、こうした問題を軽減することを目的とする。
【課題を解決するための手段】
【０００４】
この目的を達成するために、対象となるショーツは、本発明によれば、２つの自由端部の間に延びるレースによってタブの自由端部がウエストバンドの第２の端部に接続される点、および、レースの２つの自由端部の各々がウエストバンドの第２の端部に作られた穴のいずれかに通されており、それによって、ウエストバンドの内側で結ぶことが可能である点、を特徴とする。
【発明の効果】
【０００５】
こうしたショーツによれば、具体的な効果として、特にスポーツ活動中にユーザに対する障害を引き起こすことがなく、使用において信頼性が高く、簡単で、素早く閉じられる、ということを確実にすることができる。
本発明の好適な実施の形態では、以下の構成のうち１つまたは複数を任意に、追加して採用することもできる。
−  レースはさらに、タブに作られた穴にも通されること。
−  前記穴はタブの自由端部に作られていること。
−  タブの自由端部には自己把持ストリップがないこと。
−  レースは、ウエストバンドの第２の端部に留められること。
−  レースは、ウエストバンドの第２の端部にスティッチで留められること。
−  前記相補型自己把持ストリップは前記２つの穴とフライとの間に置かれており、前記２つの穴は、ウエストバンドのうち自己把持ストリップを有していない部分に作られていること。
−  フライを閉じるための手段をショーツが更に有すること。
【０００６】
本発明に関する他の様態、目的、効果については、以下の複数の実施の形態に関する説明を読めば明らかになるであろう。
【発明を実施するための最良の形態】
【０００７】
本発明については、図面を参照することでよりよく理解できるであろう。
異なる図面において参照場号が同じ場合、それらは、同一または類似の要素を示している。
図１に示すショーツは、本発明の実施の形態によるものであり、サーフィンその他のスポーツ活動用である。
【０００８】
ショーツ１は例えば、４つの組立部分１０、１２、１４、１６から作ることができ、これら部分が縫い合わされて、ユーザの胴体下部と２本の脚とを収容できる内部空間Ａが形作られている。部分１０、１２はショーツの前面を形成し、一方、組立部分１４、１６はショーツの背面を形成する。
正面では、その上側部分において、フライ１８が正面左右の組立部品１０、１２の間に形作られている。
【０００９】
ショーツ１は更に、開閉のできるクロージャ１８ａ、１８ｂを有し、それによって、ショーツのフライ１８を可逆的に閉じることができる。図に示す実施の形態は、一例として（図２、３参照）、２つの相補的な自己把持ストリップ１８ａ、１８ｂをそれぞれフライ１８のいずれかの側に固定された形で有し、それによって、この取り外し可能なクロージャが構成されている。しかし、他の実施の形態として、ジップクロージャや、スナップボタンまたはその類似物まで使用することもできる。
【００１０】
ショーツ１は更に、組立部分１０〜１６の上側エッジに縫い付けられたウエストバンド２０を有する。ウエストバンド２０は、左側の第１の端部２０ａと右側の第２の端部２０ｂとの間に延びている。２つの端部２０ａ、２０ｂはそれぞれ、フライ１８の領域の中で、後者のいずれかの側に装着されている。本実施の形態の変形例では、ウエストバンド２０は、ショーツの脚部を構成する組立片１０〜１６と一体化された部品から作ることもできる。
【００１１】
図２は、ウエストバンド２０とフライ１８とを、開いた状態で更に詳細に示す図である。
ウエストバンド２０はタブ２２を有し、当該タブは、ウエストバンドの第１の端部２０ａから右に向かって、自由端部２３まで延びている。自由端部２３は、ウエストバンド２０の右手部分を覆う形となる。
【００１２】
タブ２２は近傍部分（すなわち、ウエストバンドの左手側端部に近い部分）を有し、当該部分の内側面には、第１の自己把持ストリップ２４（例えば、Velcroのストリップや類似物）が設けられている。
この第１の自己把持ストリップ２４は、相補的な自己把持ストリップ２６（例：Velcro型の相補的ストリップ）に取り外し可能な形で固定されるものと想定されており、相手のストリップ２６は、ウエストバンド２０の第２の端部２０ｂの外側面と一体化している。
【００１３】
２つの自己把持ストリップ２４、２６はそれぞれ、タブ２２またはウエストバンド２０に、縫い付けまたは接着されている。
タブ２２は更に、その自由端部２３に開口を形作るアイレット２８を有する。アイレット２８にはレース２９が通される。レースの２つの端部２９ａ、２９ｂはまた、ウエストバンド２０の第２の端部に配置された相補的なアイレット３０、３２にも通されるが、これらアイレット３０、３２の配置は、好適な構成として、ウエストバンドのうち自己把持ストリップを有していない部分となっている。前記相補的な自己把持ストリップ２６は、アイレット３０、３２とフライ２８との間に置かれている。
【００１４】
必須ではないが、レースの紛失を防ぐために、アイレット３０、３２の間の所定位置で、スティッチ３４によってレースを固定することにしてもよい。
これまでに述べた２つのクロージャ手段は、１つが自己把持ストリップ２４、２６であり、もう１つがアイレット２８、３０、３２であるが、これらクロージャ手段により、ショーツ１が信頼性の高い形で閉じられることが保障される。そうして、当該ショーツは、従来通りに素早く効果を発揮する一方で、ユーザに障害を引き起こすことがない。
【００１５】
ショーツ１を閉じるには、フライのクロージャ１８ａ、１８ｂを閉じた後、自己把持ストリップ２４、２６同士を合わせて固定し、そして最後に、レース２９を締めてタブ２２のアイレット２８とウエストバンドの右手側部分にあるアイレットとの位置を合わせた上で、レースの２つの自由端部２９ａ、２９ｂをショーツの内側で結び合わせる。
レースのうち、ショーツが閉じた状態で外に出ているのはごく一部４０のみであり（図１参照）、そのため、レースがユーザの障害となることはなく、ほどけてしまうリスクもない。
【図面の簡単な説明】
【００１６】
【図１】本発明の第１の実施の形態によるショーツを、閉じた状態で示す斜視図である。
【図２】図１のショーツの一部を、開いた状態で示す詳細な斜視図である。
【図３】図２と同様の図であり、正面部分をショーツの内側から見た図である。
【図１】
2009079340.tif 000003
【図２】
2009079340.tif 000004
【図３】
2009079340.tif 000005
【外国語明細書】
2009079340.tif 000006
2009079340.tif 000007
2009079340.tif 000008
2009079340.tif 000009
2009079340.tif 000010
2009079340.tif 000011
2009079340.tif 000012
2009079340.tif 000013
2009079340.tif 000014
2009079340.tif 000015